(57)【要約】【課題】周囲が暗い夜間であっても、容易に標準モードスイッチとナイトモードスイッチを選択することができる電気掃除機を提供することを課題とする。【解決手段】  電動送風機２を内蔵する掃除機本体３と、該掃除機本体３に一端が接続される可撓性ホース４と、該可撓性ホース４の他端が接続され、把手部６を有する延長管６と、該延長管６に接続される床用吸込具７と、前記電動送風機２を制御する制御手段１７とを備え、前記制御手段１７に、昼間に運転する標準モードスイッチ１４と夜間に運転するナイトモードスッチ１６とを設け、前記標準モードスイッチ１４と前記ナイトモードスイッチ１６とは夫々別の位置に配置されている。【選択図】  図１
2007130109.tif 000002
【特許請求の範囲】
【請求項１】
電動送風機を内蔵する掃除機本体と、該掃除機本体に一端が接続されるホースと、該ホースの他端が接続され、把手部を有する延長管と、該延長管に接続される床用吸込具と、前記電動送風機を制御する制御手段とを備え、
前記制御手段に、昼間に運転する標準モードスイッチと夜間に運転するナイトモードスッチとを設け、前記標準モードスイッチと前記ナイトモードスイッチとは夫々別の位置に配置されていることを特徴とする電気掃除機。
【請求項２】
電動送風機を内蔵する掃除機本体と、該掃除機本体に一端が接続されるホースと、該ホースの他端が接続され、把手部を有する延長管と、該延長管に接続される床用吸込具と、該床用吸込具に設けられ、電動機により回転される回転ブラシと、前記電動送風機及び前記電動機を制御する制御手段とを備え、
前記制御手段に、昼間に運転する標準モードスイッチと夜間に運転するナイトモードスッチとを設け、前記標準モードスイッチと前記ナイトモードスイッチとは夫々別の位置に配置されていることを特徴とする電気掃除機。
【請求項３】
前記標準モードスイッチは前記把手部に配置し、前記ナイトモードスイッチは前記掃除機本体に配置したことを特徴とする請求項１または請求項２記載の電気掃除機。
【請求項４】
前記ナイトモードスイッチで設定される前記電動送風機への入力を、前記標準モードスイッチで設定される入力の半分とすることを特徴とする請求項１または請求項２記載の電気掃除機。
【請求項５】
前記ナイトモードスイッチを選択したときは、前記電動機の回転数を前記標準モードスイッチで設定された回転数よりも遅くする、もしくは前記電動機を停止させることを特徴とする請求項２記載の電気掃除機。
【発明の詳細な説明】
【技術分野】
【０００１】
本発明は、昼間に運転する標準モードスイッチと夜間に運転するナイトモードスッチとを備えた電気掃除機に関する。
【背景技術】
【０００２】
電気掃除機は、本体部に電動送風機を有し、把手部に設けられたコントロールスイッチの操作により電動送風機を運転して床用吸込具からゴミを吸い込むようになっている。（例えば、特許文献１参照。）
そして、最近では、夜間専用のナイトモードスイッチを設け、夜間に掃除を行う際、昼間に運転する標準モードスイッチからナイトモードスイッチに切り換えることによって、電動送風機の入力を低下させ運転音を低下させる商品が提案されている。（例えば、特許文献２参照。）
しかしながら、上記構成の掃除機は、ナイトモードスイッチが標準モードスイッチと同じ箇所の把手部に設けられているので、周囲が暗い夜間においては、使用者はスイッチの場所が見え難くスイッチを選択することが非常に困難であるという欠点があった。
【特許文献１】特開平４−１３５５２５号公報（Ａ４７Ｌ  ９／２４）
【特許文献２】特開平５−  ６８６６３号公報（Ａ４７Ｌ  ９／２８）
【発明の開示】
【発明が解決しようとする課題】
【０００３】
本発明は上記欠点に鑑みなされたもので、周囲が暗い夜間であっても、容易に標準モードスイッチとナイトモードスイッチを選択することができる電気掃除機を提供することを課題とする。
【課題を解決するための手段】
【０００４】
上記課題を解決するための第１の手段は、電動送風機を内蔵する掃除機本体と、該掃除機本体に一端が接続されるホースと、該ホースの他端が接続され、把手部を有する延長管と、該延長管に接続される床用吸込具と、前記電動送風機を制御する制御手段とを備え、前記制御手段に、昼間に運転する標準モードスイッチと夜間に運転するナイトモードスッチとを設け、前記標準モードスイッチと前記ナイトモードスイッチとは夫々別の位置に配置されていることを特徴とする。
【０００５】
上記課題を解決するための第２の手段は、電動送風機を内蔵する掃除機本体と、該掃除機本体に一端が接続されるホースと、該ホースの他端が接続され、把手部を有する延長管と、該延長管に接続される床用吸込具と、該床用吸込具に設けられ、電動機により回転される回転ブラシと、前記電動送風機及び前記電動機を制御する制御手段とを備え、前記制御手段に、昼間に運転する標準モードスイッチと夜間に運転するナイトモードスッチとを設け、前記標準モードスイッチと前記ナイトモードスイッチとは夫々別の位置に配置されていることを特徴とする。
【０００６】
また、前記標準モードスイッチは前記把手部に配置し、前記ナイトモードスイッチは前記掃除機本体に配置してもよい。
【０００７】
また、前記ナイトモードスイッチで設定される前記電動送風機への入力を、前記標準モードスイッチで設定される入力の半分としてもよい。
【０００８】
また、前記ナイトモードスイッチを選択したときは、前記電動機の回転数を前記標準モードスイッチで設定された回転数よりも遅くする、もしくは前記電動機を停止させてもよい。
【発明の効果】
【０００９】
本発明の請求項１によれば、標準モードスイッチとナイトモードスイッチとを夫々別の位置に配置したので、周囲が暗い夜間であっても、使用者は容易にスイッチを選択することができ、使い勝手を向上させることができる等の効果を奏する。
【００１０】
本発明の請求項２によれば、標準モードスイッチとナイトモードスイッチとを夫々別の位置に配置したので、周囲が暗い夜間であっても、使用者は容易にスイッチを選択することができ、使い勝手を向上させることができる等の効果を奏する。
【００１１】
本発明の請求項３によれば、標準モードスイッチとナイトモードスイッチとを夫々別の位置に配置したので、周囲が暗い夜間であっても、使用者は容易にスイッチを選択することができ、使い勝手を向上させることができるとともに、前記標準モードスイッチを前記把手部に配置しているので、前記把手部を持った手で前記標準モードスイッチの操作ができるので、片手のみで掃除作業を行えることができる等の効果を奏する。
【００１２】
本発明の請求項４によれば、前記ナイトモードスイッチで設定される前記電動送風機への入力を、前記標準モードスイッチで設定される入力の半分としているので、例えば、前記標準モードスイッチに、強（９００Ｗ）、中（６００Ｗ）、弱（４００Ｗ）の３段階のスイッチを設けておいて、前記ナイトモードスイッチを選択したときは、前記標準モードスイッチの強、中、弱の各スイッチが順次４５０Ｗ、３００Ｗ、２００Ｗになるよう設定されるので、使用者は吸込力の目安を認識することができるので、使い勝手を更に向上させることができる等の効果を奏する。
【００１３】
本発明の請求項５によれば、電動送風機と電動機の両方で清音化を図ることができる等の効果を奏する。
【発明を実施するための最良の形態】
【００１４】
本発明の第１実施形態を図１乃至図５に基づいて以下に説明する。
【００１５】
図１は、本発明の電気掃除機を全体斜視図図、図２は、同電気掃除機の手元操作部の上面図、図３は、同電気掃除機本体に設けられたナイトモードスイッチの上面図、図４は、同電気掃除機の運転制御回路図、図５は、同電気掃除機の動作フローチャート図である。
【００１６】
図１に示す電気掃除機１は、電動送風機２及び運転制御回路（図示しない）を内蔵する掃除機本体３と、該掃除機本体３に一端が接続される可撓性ホース４と、該可撓性ホース４の他端に接続される伸縮可能な延長管５と、前記可撓性ホース４の前記延長管５接続側に形成された把手部６と、前記延長管５に接続され床用吸込具７とから構成される。
【００１７】
８は、前記床用吸込具７に内蔵された電動機で、該電動機８の回転により回転ブラシ９が回転し、被清掃面に付着した塵埃を掻き上げるようになっている。
【００１８】
１０は、前記把手部６の前方に設けられた手元操作部で、該手元操作部１０には、前記電気掃除機１の運転操作を行うための複数のタクトスイッチが設けられており、図２に示すように、吸引能力を強くする強スイッチ１１、中程度の中スイッチ１２、吸引能力を弱くする弱スイッチ１３からなる標準モードスイッチ１４と、前記電気掃除機１の運転を停止する切スイッチ１５とが配置されている。
【００１９】
標準モードにおいては、前記強スイッチ１１が押されると前記電動送風機２のモータに９００Ｗの電力が入力され、最も強い吸引能力となる。また、前記中スイッチ１２が押されると前記電動送風機２のモータに６００Ｗの電力が入力され、中程度の吸引能力となり、更に前記弱スイッチ１３が押されると前記電動送風機２のモータに４００Ｗの電力が入力され、最も弱い吸引能力となっている。そして、前記標準モードスイッチ１４の前記強スイッチ１１、前記中スイッチ１２、前記弱スイッチ１３のいずれかのスイッチが押されると前記電動機８が回転し、前記回転ブラシ９が回転するようになっている。
【００２０】
１６は、掃除機の運転音を小さくするために設けられたタクト式のナイトモードスイッチで、該ナイトモードスイッチ１６は、前記掃除機本体３の上面後方に配置され、使用者から確認し易く、また操作もし易い位置に配置されている。
前記ナイトモードスイッチ１６は、夜間に掃除をする際、周囲に掃除機の運転音が響き渡らないように設けられた運転モードであり、具体的には、前記ナイトモードスイッチ１６を押すと前記電動送風機２の入力が、前記標準モードスイッチ１４の前記強スイッチ１１、前記中スイッチ１２、前記弱スイッチ１３で設定される入力の約半分になるよう設定され、更に前記電動機８の回転も停止するようになっている。
【００２１】
本実施例では、前記ナイトモードスイッチ１６が操作された状態（ナイトモード）で、前記強スイッチ１１を押すと９００Ｗから４５０Ｗに低下させて運転させる。そして、前記中スイッチ１２を押すと６００Ｗから３００Ｗに低下させて運転させる。更に前記中スイッチ１３を押すと４００Ｗから２００Ｗに低下させて運転させる。ナイトモードを解除したい場合は、前記ナイトモードスイッチ１６をもう一度押すとナイトモードは解除されるようになている。
【００２２】
従って、前記ナイトモードスイッチ１６を選択した時は、前記電動送風機２の入力が前記標準モードスイッチ１４で運転される時の入力よりも小さくなるので、前記電動送風機２の運転音も小さくなり、夜間時における周囲への騒音を軽減できる。また、前記ナイトモードスイッチ１６で設定される前記電動送風機２への入力を、前記標準モードスイッチ１４で設定される入力の半分としているので、使用者に吸込力の状態を分かり易く認識させることができる。そして、前記強スイッチ１１、前記中スイッチ１２、前記弱スイッチ１３を、標準モード及びナイトモードの共通スイッチとしているので、スイッチの数を少なくすることができる。
【００２３】
また、前記ナイトモードスイッチ１６を選択したときは、前記電動機８を停止するので、前記電動送風機２と前記電動機８の両方で清音化を図ることができる。
【００２４】
ところで、前記標準モードスイッチ１４、前記ナイトモードスイッチ１６を前記把手部６と前記掃除機本体３の別々に設けているが、これは、前記ナイトモードスイッチ１６と標準モードスイッチ１４とを同じ箇所に設けられてしまうと、周囲が暗い夜間においては、使用者がスイッチの場所が見え難くスイッチを誤って選択する可能性がある。よって、本実施例のように、前記標準モードスイッチ１４と前記ナイトモードスイッチ１６とを別々に配置しておけば、周囲が暗くても使用者はスイッチを誤って選択することがなくなり、所望のモードを容易に選択でき、使い勝手を向上させることができる。
【００２５】
また、前記標準モードスイッチ１４を前記把手部６に配置しているので、前記把手部６を持った手で前記標準モードスイッチ１４の操作ができるので、片手のみで掃除作業を行えることができる。
【００２６】
次に、図４に基づき本発明の電気掃除機１の運転制御回路について説明する。
【００２７】
１７は、前記電動送風機２及び前記電動機８の運転を制御する制御手段、即ちマイコンであり、該マイコン１７には、前記手元操作部１０に設けられた前記強スイッチ１１、前記中スイッチ１２、前記弱スイッチ１３、前記切スイッチ１５及び前記掃除機本体３に設けられた前記ナイトモードスイッチ１６からの操作信号が入力し、それらの入力信号に応じて前記マイコン１７は前記電動送風機２と前記電動機８を、夫々電動送風機駆動回路１８及び電動機駆動回路１９を介して運転制御する。
【００２８】
次に、本発明の電気掃除機の動作を図５のフローチャートにより説明する。
まず、ステップＳ０で動作開始（電源投入）し、ステップＳ１で、どの運転モードで設定されたかを判定する。判定した結果、標準モードであれば、ステップＳ２で、前記手元操作部１０のスイッチを選択する。
【００２９】
前記強スイッチ１１を押すと前記電動送風機２が９００Ｗで運転され、標準モードでは最も強い吸引能力となる。また、前記中スイッチ１２を押すと前記電動送風機２が６００Ｗで運転され、標準モードでは中程度の吸引能力となり、更に前記弱スイッチ１３を押すと前記電動送風機２が４００Ｗで運転され、標準モードでは最も弱い吸引能力とる。そして、前記標準モードスイッチ１４の前記強スイッチ１１、前記中スイッチ１２、前記弱スイッチ１３のいずれかを押した場合でも前記電動機８が回転し、前記回転ブラシ９が回転する（ステップＳ３）。
【００３０】
次に、ステップＳ４の標準モードの運転時に前記ナイトモードスイッチ１６を押すと、ナイトモードに切り換りステップ８に移行する。そして、前記強スイッチ１１で運転していたら、通常モードで設定される入力の半分、即ち、前記電動送風機２は入力４５０Ｗで運転される。同様に、前記中スイッチ１２で運転していたら、前記電動送風機２が３００Ｗで運転され、前記弱スイッチ１３で運転していたら、前記電動送風機２が２００Ｗで運転される。
【００３１】
前記ナイトモードスイッチ１６を選択しなければ、ステップ５で標準モードが継続し、前記切スイッチ１５を押すと、ステップ６で掃除機の全運転（電動送風機２、電動機８）を停止する。
【００３２】
次に、ステップＳ１の判定結果がナイトモードであれば（前記ナイトモードスイッチ１６を押した時）、ステップＳ７で、前記手元操作部１０のスイッチを選択する。
前記強スイッチ１１を押すと前記電動送風機２が４５０Ｗで運転され、ナイトモードでは最も強い吸引能力となる。また、前記中スイッチ１２を押すと前記電動送風機２が３００Ｗで運転され、ナイトモードでは中程度の吸引能力となり、更に前記弱スイッチ１３を押すと前記電動送風機２が２００Ｗで運転され、ナイトモードでは最も弱い吸引能力とる。そして、前記ナイトモード時に前記強スイッチ１１、前記中スイッチ１２、前記弱スイッチ１３のいずれかが押された場合は、前記電動機８が停止する（ステップＳ８）。
【００３３】
次に、ステップＳ９のナイトモードの運転時に前記ナイトモードスイッチ１６をもう１回押すとナイトモード運転が解除されてステップ３に移行する。そして、前記強スイッチ１１で運転していたら、ナイトモードで設定される入力の２倍、即ち、前記電動送風機２は入力９００Ｗで運転される。同様に、前記中スイッチ１２で運転していたら、前記電動送風機２が６００Ｗで運転され、前記弱スイッチ１３で運転していたら、前記電動送風機２が４００Ｗで運転される。
【００３４】
前記ナイトモードスイッチ１６を押さなければ、ステップ１０でナイトモードが継続し、前記切スイッチ１５を押すと、ステップ１１で掃除機の全運転（電動送風機２、電動機８）を停止する。
【００３５】
ところで、本実施例では、前記ナイトモードスイッチ１６を操作した時は、前記電動機８の回転を停止するようにしたが、ナイトモード時に前記電動機８の回転数を標準モードで運転される回転数よりも遅くするように設定しても構わない。この構成により、清音化を図りつつ被清掃面の塵埃も掻き出して効率良く塵埃を吸引することができる。
【００３６】
また、前記ナイトモードスイッチ１６で設定される前記電動送風機２への入力を、前記標準モードスイッチ１４で設定される入力の半分としたが、特に半分に限定するものではなく様々な入力で運転しても構わない。
【図面の簡単な説明】
【００３７】
【図１】本発明の電気掃除機を全体斜視図図である。
【図２】同電気掃除機の手元操作部の上面図である。
【図３】同電気掃除機本体に設けられたナイトモードスイッチの上面図である。
【図４】同電気掃除機の運転制御回路図である。
【図５】同電気掃除機の動作フローチャート図である。
【符号の説明】
【００３８】
２        電動送風機
３        掃除機本体
４        ホース
６        把手部
５        延長管
７        床用吸込具
８        電動機
９        回転ブラシ
１７        制御手段（マイコン）
１４        標準モードスイッチ
１６        ナイトモードスイッチ
【図１】
2007130109.tif 000003
【図２】
2007130109.tif 000004
【図３】
2007130109.tif 000005
【図４】
2007130109.tif 000006
【図５】
2007130109.tif 000007